(57)【要約】【課題】広告用表示装置において、十分な広告効果を発揮することが可能な技術を提供する。【解決手段】本発明に係る広告用表示装置は、表示画面１２ａに広告用の動画像や静止画像を表示する表示部１と、表示部１の構成機器を収納する筐体１０と、筐体１０を支持する支持部材２と、本装置の転倒を防止する転倒防止部材３とを備えている。そして、表示部１の表示画面１２ａにおける全画面白色表示時の面内平均輝度は５００ｃｄ／ｍ２以上に設定される。【選択図】図１
2006171081.tif 000002
【特許請求の範囲】
【請求項１】
表示画面に広告画像を表示する表示部を備え、
前記表示部の前記表示画面における全画面白色表示時の面内平均輝度は５００ｃｄ／ｍ2以上に設定される、広告用表示装置。
【請求項２】
請求項１に記載の広告用表示装置であって、
前記表示部の前記表示画面における全画面白色表示時の面内平均輝度は７００ｃｄ／ｍ2以上に設定される、広告用表示装置。
【請求項３】
請求項２に記載の広告用表示装置であって、
前記表示部の前記表示画面における全画面白色表示時の面内平均輝度は１０００ｃｄ／ｍ2以上に設定される、広告用表示装置。
【請求項４】
請求項１乃至請求項３のいずれか一つに記載の広告用表示装置であって、
前記表示部の前記表示画面の対角寸法は１９インチ以上である、広告用表示装置。
【請求項５】
請求項４に記載の広告用表示装置であって、
前記表示部の前記表示画面の対角寸法は１９インチ以上２６インチ以下である、広告用表示装置。
【請求項６】
請求項１乃至請求項５のいずれか一つに記載の広告用表示装置であって、
前記表示部は、液晶パネルと、当該液晶パネルの光源とを有し、
前記光源の発熱を冷却して、前記液晶パネルのパネル温度を５０℃以下にする冷却装置を更に備える、広告用表示装置。
【請求項７】
請求項１乃至請求項６のいずれか一つに記載の広告用表示装置であって、
表示画面に広告用の静止画像を表示する第２の表示部を更に備える、広告用表示装置。
【請求項８】
請求項１乃至請求項７のいずれか一つに記載の広告用表示装置であって、
前記表示部の前記表示画面に表示される画像に関する画像情報を記憶し、前記広告用表示装置に着脱可能なメモリカードを更に備える、広告用表示装置。
【請求項９】
請求項１乃至請求項８のいずれか一つに記載の広告用表示装置であって、
前記表示部の前記表示画面に表示される画像に関する画像情報を伝達する情報通信ネットワークに接続可能なネットワーク接続端子を更に備える、広告用表示装置。
【請求項１０】
請求項１乃至請求項９のいずれか一つに記載の広告用表示装置であって、
外光照度を測定する照度測定素子と、
前記照度測定素子で測定された外光照度に基づいて前記表示部における前記表示画面の輝度を調整する輝度調整装置と
を更に備える、広告用表示装置。
【発明の詳細な説明】
【技術分野】
【０００１】
この発明は、広告画像を表示する広告用表示装置に関する。
【背景技術】
【０００２】
従来から、広告画像を表示する広告用表示装置に関して様々な技術が提案されている。例えば、特許文献１，２では、複数のＬＥＤを行列状に配設して表示画面を形成し、当該表示画面に例えば「営業中」という文字を流れるように表示することによって、通行人の注意を引き広告効果を発揮する技術が開示されている。
【０００３】
【特許文献１】特開平４−５５８８８号公報
【特許文献２】特開２０００−１３２１２０号公報
【発明の開示】
【発明が解決しようとする課題】
【０００４】
しかしながら、従来の広告用表示装置では表示画面の輝度が低く、十分な広告効果を発揮できないことがある。
【０００５】
そこで、本発明は上記点に鑑みてなされたものであり、広告用表示装置において、十分な広告効果を発揮することが可能な技術を提供することを目的とする。
【課題を解決するための手段】
【０００６】
この発明の広告用表示装置は、表示画面に広告画像を表示する表示部を備え、前記表示部の前記表示画面における全画面白色表示時の面内平均輝度は５００ｃｄ／ｍ2以上に設定される。
【発明の効果】
【０００７】
この発明の広告用表示装置によれば、表示画面における全画面白色表示時の面内平均輝度が５００ｃｄ／ｍ2以上に設定されるため、表示内容の視認性が向上し、広告用表示装置として十分な広告効果を発揮することができる。
【発明を実施するための最良の形態】
【０００８】
実施の形態１．
図１は本発明の実施の形態１に係る広告用表示装置の構造を示す斜視図である。本実施の形態１に係る広告用表示装置は、店舗での商品内容や業務内容などを示す広告画像を表示することが可能である。
【０００９】
図１に示されるように、本実施の形態１に係る広告用表示装置は、表示画面１２ａに広告用の動画像や静止画像を表示する表示部１と、表示部１の構成機器等を収納する筐体１０と、筐体１０を支持する支持部材２と、本装置の転倒を防止する転倒防止部材３とを備えている。
【００１０】
支持部材２は例えば細長い円柱形であって、その長手方向の一端に筐体１０が連結されて、他端に転倒防止部材３が連結されている。転倒防止部材３は、例えば平板状であって、その上面のほぼ中央部分に支持部材２が連結されており、その底面の各四隅には本装置の移動を容易にするためのキャスター３ａが取り付けられている。
【００１１】
図２は筐体１０内の構成を示す図である。図２に示されるように、表示部１は、表示パネル部１１と、液晶パネルコントロール回路１４と、画像コントローラ１５と、電源装置１６とを備えている。表示パネル部１１は、前面に表示画面１２ａを有する液晶パネル１２と、液晶パネル１２の光源となる複数の蛍光管１３ａを有する直下型バックライト部１３とを備えている。複数の蛍光管１３ａは、液晶パネル１２の後方、つまり表示画面１２ａとは反対側に配置され、液晶パネル１２に光を照射する。液晶パネル１２は、液晶パネルコントロール回路１４によって駆動され、複数の蛍光管１３ａからの光を透過したり遮断することによってフィルタリングし、これにより表示画面１２ａに広告画像を表示する。
【００１２】
画像コントローラ１５は、ＣＰＵや画像処理ＩＣなどの画像処理装置１５ａと、記憶装置１５ｂとを備える計算機であって、一枚の基板上に形成されている。記憶装置１５ｂには、例えば、画像処理プログラムや、表示画面１２ａに表示する画像に関する画像情報が記憶されている。画像処理装置１５ａは、記憶装置１５ｂ内の画像処理プログラムに基づいて、記憶装置１５ｂ内の画像情報に対して、フェードイン処理やフィードアウト処理などの画像処理を実行する。そして、画像処理装置１５ａは、画像処理後の画像情報を、液晶パネルコントロール回路１４で処理できるフォーマットに変換して、液晶パネルコントロール回路１４に出力する。
【００１３】
なお、表示画面１２ａに静止画像を表示する場合のように、記憶装置１５ｂが記憶する画像情報に対して画像処理を行う必要がない場合には、画像処理装置１５ａは、画像情報に対して、液晶パネルコントロール回路１４で処理できるフォーマットに変換する処理だけを実行して出力する。
【００１４】
液晶パネルコントロール回路１４は、受け取った画像情報に基づいて液晶パネル１２を制御して、その表示画面１２ａに広告用の動画像や静止画像を表示させる。なお画像コントローラ１５が、一定期間異なる画像情報を出力すれば表示画面１２ａには動画像を表示することが可能となり、一定期間同一の画像情報を出力すれば静止画像を表示することが可能となる。
【００１５】
また、蛍光管１３ａの発熱により液晶パネル１２が加熱されてそのパネル温度が最高動作温度の５０℃を越えて動作不良となることを防止するために、筐体１０内には、蛍光管１３ａの発熱を冷却して、液晶パネル１２のパネル温度を５０℃以下にする冷却装置１７が収納されている。冷却装置１７には、例えば、筐体１０の外側に熱気を放出する冷却ファンが採用される。
【００１６】
電源装置１６は、図示しないコンセントから給電される交流電圧を直流電圧に変換して、直下型バックライト部１３、液晶パネルコントロール回路１４、画像コントローラ１５及び冷却装置１７に対して、それぞれに適した電源を供給する。
【００１７】
筐体１０は、例えば、やや平たい直方体であって、その前面から表示画面１２ａが露出するように液晶パネル１２を収納し、他の構成機器については露出しないように収納しいている。また筐体１０は、雨風等が内部に入らないように防雨構造を有している。
【００１８】
本実施の形態１では、表示画面１２ａにおける全画面白色表示時の面内平均輝度が５００ｃｄ／ｍ2以上になるように直下型バックライト部１３の明るさが設定される。例えば、表示画面１２ａにおける全画面白色表示時の面内平均輝度は１１００ｃｄ／ｍ2に設定される。直下型バックライト部１３の明るさをこのように設定し、表示画面１２ａに広告画像を表示すれば、従来より広告画像の視認性が向上する。
【００１９】
また、本実施の形態１では、表示画面１２ａの対角寸法ＤＳが１９インチ以上に設定されている。これにより、表示画面１２ａでの画素数が１２８０×１０２４以上となり、高精細な広告画像を表示することができる。
【００２０】
以上のように構成された本実施の形態１に係る広告用表示装置の電源スイッチ（図示せず）をオンにすると、電源装置１６から、直下型バックライト部１３、液晶パネルコントロール回路１４、画像コントローラ１５及び冷却装置１７に電源が供給される。そうすると、画像コントローラ１５は記憶する画像情報を液晶パネルコントロール回路１４に出力し始める。
【００２１】
本実施の形態１に係る広告用表示装置では、画素数が１２８０×１０２４以上であり、高精細な動画像を表示することが可能であることから、この特徴を生かして、例えば旅行代理店の広告画像を表示する場合には、画像情報としては、旅行先の映像情報などを採用することができる。
【００２２】
液晶パネルコントロール回路１４は、受け取った画像情報に基づいて液晶パネル１２を駆動し、表示画面１２ａに広告画像を表示する。
【００２３】
以上のように、本実施の形態１に係る広告用表示装置では、表示画面１２ａにおける全画面白色表示時の面内平均輝度が５００ｃｄ／ｍ2以上に設定されているため、表示内容の視認性が向上し、例えば明るい屋外に設置される広告用表示装置として十分な広告効果を発揮することができる。
【００２４】
図３は、表示画面１２ａでの表示内容に対する視認性の確認実験の結果を示す図である。図３では、表示画面１２ａにおける全画面白色表示時の面内平均輝度と、表示画面１２ａに表示する文字のサイズと、観察者と表示画面１２ａとの距離とをそれぞれ変化させた場合に、当該観察者によって表示画面１２ａの文字が視認できるかどうかが示されている。また図３の結果は、昼間での複数人による視認性確認実験の結果であり、観察者の９０％以上が文字を視認できた場合には「○」、それ以外の場合には「×」で示されている。
【００２５】
なお、対角寸法ＤＳが１９インチの表示画面１２ａには、文字サイズ３００ｍｍ×３００ｍｍの文字を一文字、文字サイズ８０ｍｍ×８０ｍｍの文字を数文字、文字サイズ５０ｍｍ×５０ｍｍの文字を数十文字表示することができる。
【００２６】
図３に示されるように、表示画面１２ａにおける全画面白色表示時の面内平均輝度が５００ｃｄ／ｍ2以上に設定された場合には、観察者は、表示画面１２ａと３０ｍ離れた場所において、文字サイズ８０ｍｍ×８０ｍｍの文字を視認することができる。
【００２７】
ここで、一般的に、屋外に設置される広告用表示装置では、国道、都道府県道、市道などにおいて最大道路幅３０ｍの道路沿いに設置された店舗前に当該表示装置が設けられたときに、当該道路の対岸で表示内容を視認できることが要求される。また、ある程度の広告効果を得るためには少なくとも数文字程度を表示画面１２ａに表示できる必要がある。
【００２８】
以上のことから、本実施の形態１に係る広告用表示装置のように、表示画面１２ａにおける全画面白色表示時の面内平均輝度を５００ｃｄ／ｍ2以上に設定することによって、屋外に設置された広告用表示装置として十分な広告効果を発揮することができる。また、屋外ばかりではなく広いショッピングモール等の屋内に設置された場合であっても同様の効果が得られる。
【００２９】
また、図３に示されるように、表示画面１２ａにおける全画面白色表示時の面内平均輝度を７００ｃｄ／ｍ2以上に設定した場合には、観察者は、表示画面１２ａと３０ｍ離れた場所において、文字サイズ５０ｍｍ×５０ｍｍの文字を視認することができる。従って、表示画面１２ａにおける全画面白色表示時の面内平均輝度を７００ｃｄ／ｍ2以上に設定することによって、表示画面１２ａに数十文字程度のより多くの文字表示が可能となり、広告効果が更に向上する。
【００３０】
また、図３に示されるように、表示画面１２ａにおける全画面白色表示時の面内平均輝度を１０００ｃｄ／ｍ2以上に設定した場合には、観測者は、表示画面１２ａと３０ｍ以上離れた場所においても、文字サイズ８０ｍｍ×８０ｍｍの文字を視認することができる。従って、表示画面１２ａにおける全画面白色表示時の面内平均輝度を１０００ｃｄ／ｍ2以上に設定することによって、より遠くの通行人等に情報を伝達することができ、広告効果が更に向上する。
【００３１】
また、本実施の形態１では、表示画面１２ａの対角寸法ＤＳが１９インチ以上に設定されているため、複雑な広告画像を表示することが可能となり、広告効果が更に向上する。
【００３２】
例えば、表示画面１２ａの対角寸法ＤＳが１５インチ（幅３００ｍｍ×高さ２３０ｍｍ）の場合、画面一杯に文字を表示したとしても、文字サイズ５０ｍｍ×５０ｍｍの文字を２４文字、文字サイズ８０ｍｍ×８０ｍｍの文字を６文字しか表示できない。従って、文字だけではなく、人の注意を引く効果の高い、人の動きや風景などの映像を表示する場合には、十分な表現内容を実現できず、十分な広告効果を得ることができない。
【００３３】
一方、例えば、表示画面１２ａの対角寸法ＤＳが１９インチ（幅約４００ｍｍ×高さ約３００ｍｍ）の場合には、文字サイズ５０ｍｍ×５０ｍｍの文字を４８文字、文字サイズ８０ｍｍ×８０ｍｍの文字を１５文字まで表示でき、また、表示画面１２ａが２６インチワイド型の表示画面（幅５８０ｍｍ×高さ３２０ｍｍ）である場合には、文字サイズ５０ｍｍ×５０ｍｍの文字を６６文字、文字サイズ８０ｍｍ×８０ｍｍの文字を２８文字まで表示できる。そのため、文字に交えて映像を表示する場合であっても、十分な表現内容を実現でき、広告効果を向上することができる。
【００３４】
また、表示画面１２ａには店名が表示されることが多いが、この場合には、調査の結果、表示画面１２ａには６文字以上表示できることが必要とされる。そして、店名を２行にまたがって表示することは通常好まれないことから、６文字以上を１行で表示できることが望ましい。更に、６文字以上が１行で表示できたとしても、文字を密に表示し、文字間隔に余裕が無い場合には、観察者に与える印象は悪く、広告効果を低減させる。従って、この観点からも、文字間隔に十分な余裕を確保することが可能な対角寸法１９インチ以上の表示画面１２ａを採用することが望ましい。
【００３５】
以上のことから、本実施の形態１に係る広告用表示装置のように、表示画面１２ａの対角寸法ＤＳを１９インチ以上に設定することによって、複雑な広告画像を表示することができ、より多くの情報を観察者に伝達することができる。その結果、広告効果が更に向上する。
【００３６】
また、本実施の形態１では、液晶パネル１２の光源となる蛍光管１３ａの発熱を冷却する冷却装置１７が設けられているため、当該発熱の影響で液晶パネル１２に動作不良が発生することを抑制できる。
【００３７】
また、屋外で広告用表示装置が設置されるスペースを考慮すると、表示画面１２ａの対角寸法ＤＳは１９インチ以上２６インチ以下が望ましい。以下にその理由について説明する。
【００３８】
広告用表示装置を屋外で使用する場合には、道路沿いの店舗前に設置されることが多い。このような場合において、店舗前に確保できるスペースは、複数箇所を調査した結果、横幅８０ｃｍ程度、奥行き８０ｃｍ程度が限界である。これよりも広いスペースを確保できる場合もあるが、非常に例外的である。従って、このようなスペースに設置できる大きさの広告用表示装置の需要が最も高い。
【００３９】
以上のことから、表示画面１２ａの対角寸法ＤＳを１９インチ以上２６インチ以下に設定することにより、実際の設置スペースに応じたサイズの広告用表示装置を実現でき、もっとも市場需要の高いサイズの広告用表示装置を提供できる。従って、市場需要の低いサイズの広告用表示装置を製造する必要がなくなり、不要な在庫管理が削減され、製造コストが低減する。
【００４０】
実施の形態２．
図４は本発明の実施の形態２に係る広告用表示装置の構造を示す斜視図である。本実施の形態２に係る広告用表示装置は、上述の実施の形態１に係る広告用表示装置において、広告用の静止画像を表示画面２２ａに表示する静止画像表示部２１を更に備え、筐体１０及び支持部材２の替わりに筐体２０を備えるものである。
【００４１】
図４に示されるように、筐体２０は、例えば縦長のやや平たい直方体であって、表示部１及び静止画像表示部２１を収納している。また、本実施の形態２に係る転倒防止部材３の上面には筐体２０が連結している。
【００４２】
図５は静止画像表示部２１の構成を示す断面図である。図５に示されるように、静止画像表示部２１は、前面に表示画面２２ａを有する白色光透過板２２と、その後方に設置された複数の蛍光灯２３とを備えている。白色光透過板２２の前面には、時間経過に伴って変化させる必要のない店舗情報、例えば、店舗名、電話番号、営業時間、定休日、業務内容等を示す文字が黒色等で直接印刷されており、蛍光灯２３が点灯することによって、当該文字が静止画像として表示画面２２ａに表示される。
【００４３】
なお、白色光透過板２２の前面に店舗情報などを直接印刷する代わりに、店舗情報などを印刷した透明フィルムを白色光透過板２２の前面に貼り付けても良い。
【００４４】
筐体２０内には、表示部１及び静止画像表示部２１だけではなく上述の冷却装置１７も収納されている。筐体２０は、その前面から表示画面１２ａ，２２ａが露出するように液晶パネル１２及び白色光透過板２２を収納し、他の構成機器については露出しないように収納しいている。また筐体２０は、実施の形態１に係る筐体１０と同様に、雨風等が内部に入らないように防雨構造を有している。
【００４５】
本実施の形態２に係る静止画像表示部２１における表示画面２２ａの輝度は、当該静止画像表示部２１の使用目的に応じて設定される。例えば、表示部１に動画像を表示しつつ、静止画像表示部２１に静止画像を表示する場合には、動画像の方が最初に人の注目を引きつけるため、本実施の形態２では、静止画像表示部２１における表示画面２２ａの輝度を、表示部１における表示画面１２ａの輝度よりも低めに設定している。
【００４６】
以上のように、本実施の形態２に係る広告用表示装置では、表示部１と、静止画像を表示する静止画像表示部２１とを備えているため、表示部１に動画像を表示することによって、動画像と静止画像を同時に表示することができる。そのため、動画像表示による人を誘引する効果と、静止画像表示による説明、あるいは説得効果とを同時に得ることができ、広告効果が向上する。
【００４７】
実施の形態３．
図６は本発明の実施の形態３に係る広告用表示装置の筐体１０内の構成を示す図である。本実施の形態３に係る広告用表示装置は、上述の実施の形態１に係る広告用表示装置において、メモリカードコネクタ３０と、それに接続されるメモリカード３１とを更に備えるものである。
【００４８】
図３に示されるように、筐体１０内には、画像コントローラ１５に接続されたメモリカードコネクタ３０が収納されている。筐体１０には、メモリカード３１を挿入する挿入孔３２が設けられており、メモリカード３１は、当該挿入孔３２に挿入されると、メモリカードコネクタ３０に接続されて、本装置に固定される。そして、メモリカード３１を挿入孔３２から引き抜くと、当該メモリカード３１はメモリカードコネクタ３０と未接続状態となり、本装置から取り外される。このように、本実施の形態３に係るメモリカード３１は本装置に着脱可能となっている。
【００４９】
本実施の形態３では、表示画面１２ａに表示される画像に関する画像情報は、画像コントローラ１５の記憶装置１５ｂではなく、メモリカード３１に記憶される。画像コントローラ１５は、メモリカードコネクタ３０を介してメモリカード３１から画像情報を読み出し、画像処理等を行って液晶パネルコントロール回路１４に出力する。液晶パネルコントロール回路１４は、受け取った画像情報に基づいて液晶パネル１２を駆動して、表示画面１２ａに広告画像を表示する。
【００５０】
上述の実施の形態１では、画像情報は画像コントローラ１５の記憶装置１５ｂに記憶されているため、当該画像情報を書き換える際には、画像コントローラ１５が搭載されている基板を筐体１０から取り出して、記憶装置１５ｂ内のデータを書き直す必要があり、非常に手間がかかる。
【００５１】
一方、本実施の形態３に係る広告用表示装置では、表示画面１２ａに表示される画像に関する画像情報を、本装置に着脱可能なメモリカード３１に記憶している。従って、別途に準備したパーソナルコンピュータ等を用いてメモリカード３１内の画像情報を簡単に書き換えることができる。よって、本装置が設置される店舗等の業務内容に変更があった場合であっても、変更後の業務内容に応じた広告画像を簡単に作成でき、業務内容等の変更に柔軟に対応できる。
【００５２】
なおメモリカード３１には、画像情報だけではなく、画像処理プログラムも記憶させて良い。この場合には、画像コントローラ１５の画像処理装置１５ａは、メモリカード３１から画像処理プログラムを読み出して画像情報に対して画像処理を行う。
【００５３】
また、本実施の形態３では、実施の形態１に係る広告用表示装置にメモリカードコネクタ３０とメモリカード３１を設けたが、実施の形態２に係る広告用表示装置にそれらを設けても同様の効果を得ることができる。
【００５４】
実施の形態４．
図７は本発明の実施の形態４に係る広告用表示装置の筐体１０内の構成を示す図である。本実施の形態４に係る広告用表示装置は、上述の実施の形態１に係る広告用表示装置において、インターネットやＬＡＮ（Ｌｏｃａｌ  Ａｒｅａ  Ｎｅｔｗｏｒｋ）などの情報通信ネットワーク４１と接続可能なネットワーク接続端子４０を更に備えるものである。
【００５５】
図７に示されるように、ネットワーク接続端子４０は画像コントローラ１５に接続されている。画像コントローラ１５の画像処理装置１５ａは、ネットワーク接続端子４０を介して情報通信ネットワーク４１から送られてくる画像情報や画像処理プログラムを受け取り記憶装置１５ｂ内に記憶する。そして、表示画面１２ａに画像を表示する際には、画像処理装置１５ａは、記憶装置１５ｂ内の画像情報及び画像処理プログラムを読み出して、当該画像情報に画像処理等を行い、液晶パネルコントロール回路１４に出力する。
【００５６】
ここで、例えば、数百店あるいは数千店のチェーン店のそれぞれに本装置を設置する場合には、画像情報や画像処理プログラムなどを一元管理することが望まれる。上述の実施の形態１では、画像情報を書き換える際には、画像コントローラ１５が搭載されている基板を取り出す必要があり、また実施の形態３ではメモリカード３１を取り出す必要があるため、店舗数が多くなると各装置の画像情報の書き換えに手間がかかり、画像情報を一元管理できない。
一方、本実施の形態４に係る広告用表示装置では、画像情報等を伝達する情報通信ネットワーク４１に接続可能なネットワーク接続端子４０が設けられているため、中央コンピュータ等により各装置の画像情報等を一元管理し、情報通信ネットワーク４１を利用して全装置での画像情報等を一斉に書き換えたり、店舗ごとに応じて簡単に画像情報等を書き換えることができる。従って、画像情報等の管理コストが低減する。
【００５７】
なお、本実施の形態４では、実施の形態１に係る広告用表示装置にネットワーク接続端子４０を設けていたが、実施の形態２，３に係る広告用表示装置のそれぞれにネットワーク接続端子４０を設けても同様の効果を得ることができる。
【００５８】
実施の形態３に係る広告用表示装置にネットワーク接続端子４０を設ける場合には、画像コントローラ１５の画像処理装置１５ａは、情報通信ネットワーク４１から画像情報等を受け取ると、当該画像情報等をメモリカード３１内に書き込む。これにより、各広告用表示装置の画像情報等を一斉に書き換えたり、店舗ごとに応じて簡単に画像情報等を書き換えることができる。
【００５９】
実施の形態５．
図８は本発明の実施の形態５に係る広告用表示装置の筐体１０内の構成を示す図である。本実施の形態５に係る広告用表示装置は、上述の実施の形態１に係る広告用表示装置において、外光５０の照度を測定する照度測定素子５１と、当該照度測定素子５１で測定された外光照度に基づいて表示画面１２ａの輝度を調整する輝度調整装置５２とを更に備えるものである。
【００６０】
照度測定素子５１は、例えばフォトセルであって、その受光部分が筐体１０から露出するように筐体１０内に収納されている。輝度調整装置５２も筐体１０内に収納されており、電源装置１６から出力される直下型バックライト部１３用の電源を調整することによって複数の蛍光管１３ａから発する光の照度を調整し、これにより表示画面１２ａの輝度を調整する。
【００６１】
本実施の形態５に係る輝度調整装置５２は、照度測定素子５１で測定された外光照度が所定のしきい値よりも大きい場合には表示画面１２ａにおける全画面白色表示時の面内平均輝度を５００ｃｄ／ｍ2以上に設定する。そして、照度測定素子５１で測定された外光照度が所定のしきい値以下の場合には、当該所定のしいき値よりも大きい場合の値よりも３０％小さい値に設定する。昼間における外光照度は夜間における外光照度よりも大きいため、上記しきい値を適切に設定することによって、昼間での表示画面１２ａにおける全画面白色表示時の面内平均輝度を実施の形態１と同様に５００ｃｄ／ｍ2以上に設定することができ、夜間での表示画面１２ａにおける全画面白色表示時の面内平均輝度を昼間における値よりも３０％小さくすることができる。
【００６２】
上述の図３は昼間における実験結果を示しているが、夜間に同様の実験を行うと、表示画面１２ａにおける全画面白色表示時の面内平均輝度が３０％小さい場合であっても図３と同様の結果が得られる。従って、夜間での表示画面１２ａにおける全画面白色表示時の面内平均輝度を昼間における値よりも３０％小さくした場合であっても、昼夜を問わず、広告用表示装置として十分な広告効果を発揮することができる。
このように、本実施の形態５に係る広告用表示装置では、照度測定素子５１で測定された外光照度に基づいて表示画面１２ａの輝度を調整するため、十分な広告効果を発揮しつつ夜間における輝度を低減できる。そのため、消費電力を低減でき、運用コストを低減できる。
【００６３】
なお、本実施の形態５に係る照度測定素子５０と輝度調整装置５２を、上述の実施の形態２〜４に係る広告用表示装置に設けることによっても同様の効果を得ることができる。
【００６４】
また、上述の実施の形態１〜５では、表示パネルとして液晶パネル１２を使用したが、その代わりに、陰極線管（ＣＲＴ）やプラズマディスプレイパネル、あるいは有機ＥＬディスプレイパネルなどを使用しても同様の効果を得ることができる。
【００６５】
また、上述の実施の形態１〜５では、一つの表示部１を筐体１０内に備える広告用表示装置、あるいは一つの表示部１と一つの静止画像表示部２１を筐体２０内に備える広告用表示装置について説明したが、複数の表示部１を筐体１０内に備える広告用表示装置、あるいは複数の表示部１と複数の静止画像表示部２１を筐体２０内に備える広告用表示装置にも本発明を適用することによって同様の効果が得られる。更に、実施の形態１〜５に係る広告用表示装置を複数台併置して構成した広告用表示システムにも本発明を適用することができる。
【図面の簡単な説明】
【００６６】
【図１】本発明の実施の形態１に係る広告用表示装置の構造を示す斜視図である。
【図２】本発明の実施の形態１に係る広告用表示装置の筐体内の構成を示す図である。
【図３】表示画面での表示内容に対する視認性の確認実験の結果を示す図である。
【図４】本発明の実施の形態２に係る広告用表示装置の構造を示す斜視図である。
【図５】本発明の実施の形態２に係る静止画像表示部の構成を示す断面図である。
【図６】本発明の実施の形態３に係る広告用表示装置の筐体内の構成を示す図である。
【図７】本発明の実施の形態４に係る広告用表示装置の筐体内の構成を示す図である。
【図８】本発明の実施の形態５に係る広告用表示装置の筐体内の構成を示す図である。
【符号の説明】
【００６７】
１  表示部、１２  液晶パネル、１２ａ，２２ａ  表示画面、１３ａ  蛍光管、１７  冷却装置、２１  静止画像表示部、３１  メモリカード、４０  ネットワーク接続端子、５０  外光、ＤＳ  対角寸法。
【図１】
2006171081.tif 000003
【図２】
2006171081.tif 000004
【図３】
2006171081.tif 000005
【図４】
2006171081.tif 000006
【図５】
2006171081.tif 000007
【図６】
2006171081.tif 000008
【図７】
2006171081.tif 000009
【図８】
2006171081.tif 000010